(57)【特許請求の範囲】
【請求項１】
建物の基礎と該基礎上面から略垂直に起立して構築される軸組との隙間を塞ぎ、該基礎外部から内部への水の浸入を防止するための防水スペーサーであって、
長手方向に折曲自在となる折目が形成された長尺な樹脂製シートの一方面側の一端部に長手方向に亘って前記基礎上面に貼付け可能な接着部材が設けられ、前記樹脂製シートの他端面側に前記折目を挟んで折曲自在で且つ一方側面を粘着面とした一方の発泡シートと他方の発泡シートとが、一方の発泡シートの端部が該折目に沿うように貼付けられ、他方の発泡シートが一方の発泡シートにその肉厚分だけ離間した溝部を形成して貼付けられ、且つ、それぞれの発泡シートの折目と反対側の端部が前記樹脂製シートの端部からはみ出すように貼付けられていることを特徴とする防水スペーサ。
【請求項２】
建物の基礎と該基礎上面から略垂直に起立して構築される軸組を有し、且つ、前記建物の床部材が前記基礎の天端より低い位置に設けられた建物において、
前記請求項１記載の防水スペーサの樹脂製シートの接着部材が設けられた一方面側が、前記基礎上面から前記軸組に沿って略垂直に起立してこれらの隙間を塞ぐように貼り付けられたことを特徴とする基礎上防水構造。
【請求項３】
前記樹脂製シートの他方面側に貼付けられた前記発泡シートの上に、住宅の内壁材を固定するための下地材が押圧固定されたことを特徴とする請求項２記載の基礎上防水構造。
【発明の詳細な説明】
【技術分野】
【０００１】
この発明は、建物の基礎と該基礎の上面から略垂直に起立して構築される軸組との隙間を塞ぎ、基礎外部から内部への水の浸入を防止するための防水スペーサ、及び基礎上防水構造に関する。
【背景技術】
【０００２】
一般的に、建物を建築する際には、基礎とその上部に構築される軸組等との間には隙間が生じるため、当該隙間によって建物の防水性が損なわれるという問題が生じていた。そして、基礎の天端よりも低い位置に床部分が設けられる土間、ガレージ等の場所では、基礎の天端よりも高い位置に床部分が設けられるその他の居室よりも、建物の外部からの雨水等の浸入防止がより重要である。そのため、基礎と軸組との隙間にコーキング材を介在させる等して建物の防水性を確保していたが、気候の変化等によって基礎や軸組が膨張や収縮を繰返すことによって、コーキング材の剥離や、切れ等が発生し、防水性が徐々に損なわれることから以下のような基礎部分の防水構造が考案されている。
【０００３】
この基礎部分の防水構造１０１は、図１６に示すように、基礎１０２と外壁パネル１０３の下端の間の隙間１０４を覆うために、略Ｌ字状に形成された基礎見切り１０５の上端部に合成樹脂やゴム等の変形性を有する追従片１０６を設け、さらに、その上からコーキング材１０７を設けたものである。（例えば、特許文献１）。
【０００４】
【特許文献１】特開２００５−３１５００４号公報
【発明の開示】
【発明が解決しようとする課題】
【０００５】
しかし、気候の変化等によって基礎や外壁パネルの膨張や収縮が起きた場合には、追従片が弾性変形して追従したとしてもコーキング材と基礎や外壁パネルとの間に隙間が生じるので結果的に防水性が徐々に損なわれる可能性がある。また、コーキング材自体にコストがかかるということに加えて、追従片を形成するためにもコストがかかり経済的でないという問題もある。
【０００６】
この発明は上記のような種々の課題を解決することを目的としてなされたものであって、コーキング材を使用するよりも安価で、且つ、建物の基礎と該基礎上面から略垂直に起立して構築される軸組との隙間を確実に塞ぎ、基礎外部から内部への水の浸入を確実に防止することができる防水スペーサ、及び基礎上防水構造に関する。
【課題を解決するための手段】
【０００７】
上記目的を達成するために、請求項１記載の防水スペーサは、建物の基礎と該基礎上面から略垂直に起立して構築される軸組との隙間を塞ぎ、該基礎外部から内部への水の浸入を防止するための防水スペーサーであって、長手方向に折曲自在となる折目が形成された長尺な樹脂製シートの一方面側の一端部に長手方向に亘って前記基礎上面に貼付け可能な接着部材が設けられ、前記樹脂製シートの他端面側に前記折目を挟んで折曲自在で且つ一方側面を粘着面とした一方の発泡シートと他方の発泡シートとが、一方の発泡シートの端部が該折目に沿うように貼付けられ、他方の発泡シートが一方の発泡シートにその肉厚分だけ離間した溝部を形成して貼付けられ、且つ、それぞれの発泡シートの折目と反対側の端部が前記樹脂製シートの端部からはみ出すように貼付けられていることを特徴としている。
【００１１】
請求項２に記載の基礎上防水構造は、建物の基礎と該基礎上面から略垂直に起立して構築される軸組を有し、且つ、前記建物の床部材が前記基礎の天端より低い位置に設けられた建物において、前記請求項１記載の防水スペーサの樹脂製シートの接着部材が設けられた一方面側が、前記基礎上面から前記軸組に沿って略垂直に起立してこれらの隙間を塞ぐように貼り付けられたことを特徴としている。
【００１２】
請求項３に記載の基礎上防水構造は、前記樹脂製シートの他方面側に貼付けられた前記発泡シートの上に、住宅の内壁材を固定するための下地材が押圧固定されたことを特徴とする。
【発明の効果】
【００１３】
請求項１記載の防水スペーサによれば、前記隙間を塞ぐ樹脂製シートを具備しているので、樹脂製シートが基礎と軸組との隙間を完全に塞ぐことができ、確実に防水性を確保することができる。そして、該樹脂製シートの一方面側には、基礎上に貼付け可能な接着部材を具備しているので、これを基礎から軸組に沿って貼付ける際にも容易に貼付けることができる。また、前記樹脂製シートの他方面側に貼付けられた発泡シートを具備するので、防水性を向上させると共に、建物の断熱性も向上させることができる。しかも、コーキング材を使用する場合と比較して安価である。
【００１４】
前記樹脂製シート、及び、前記発泡シートが折曲自在である。これにより、基礎上面と該基礎上面から起立する軸組に沿うように容易に変形させることができるので、多様な形状にも対応することができる。また、収納する際にも防水スペーサを折曲したり、巻いたりすることで収納性も向上する。
【００１６】
更に又、前記樹脂製シートが長尺に形成されると共に、その長手方向に略Ｌ字型に折曲自在となるように該樹脂製シートの長手方向に亘って予め折目が設けられている。これにより、防水スペーサを使用しない際には巻いた状態で収納、若しくは持運び等することができ、取扱いが容易である。そして、防水スペーサを使用する際には、接着部材、及び発泡シートの粘着面を使用して基礎から軸組に沿って貼付けながら折目に沿って略Ｌ字型に折曲していけば、容易に基礎と軸組との隙間を塞ぐことができる。また、樹脂製シートに予め折目を設けることで基礎と軸組とが略直角に設けられている場合にも、精度よくその角度に対応することができるので、防水性や断熱性を損なうことがない
【００１７】
また、前記発泡シートには、前記樹脂製シートの折目が設けられた箇所に、長手方向に亘って溝部が形成されている。これにより、防水シートを略Ｌ字型に折曲する際に、発泡シートにある程度厚みがある場合にも、折曲部に歪等が生じることがないので、確実に防水性を確保することができる。
【００１８】
請求項２記載の基礎上防水構造によれば、建物の基礎と該基礎上面から略垂直に起立して構築される軸組を有し、且つ、前記建物の床部材が前記基礎の天端より低い位置に設けられた建物において、請求項１記載の防水スペーサの樹脂製シートの接着部材が設けられた一方面側が、前記基礎上面から前記軸組に沿って略垂直に起立してこれらの隙間を塞ぐように貼付けられている。これにより、基礎の天端よりも高い位置に床部材が設けられている場合よりも、基礎の天端よりも低い位置に床部材が設けられている場合のほうが基礎と軸組との隙間からの雨水等の浸入防止が重要となるため、防水スペーサを好適に使用することができる共に、この場合にも防水性を確実、且つ、安価に確保することができる
【００１９】
請求項３記載の基礎上防水構造によれば、前記樹脂製シートの他方面側に貼付けられた前記発泡シートの上に、住宅の内壁材を固定するための下地材が押圧固定されている。これにより、下地材を固定する際の圧力や、該下地材の荷重で発泡シートが押し潰されることで、防水スペーサが基礎や軸組等により密着し、高い防水性を発揮することができる。
【発明を実施するための最良の形態】
【００２０】
この発明における防水スペーサの最良の実施形態について、以下に説明する。本発明に係る防水スペーサ１は、図１５に示すように、建物の基礎２と該基礎２の上面から略垂直に起立して構築される軸組３との隙間を塞ぎ、該基礎２外部から内部への水の浸入を防止するためのものである。そして、図１、図８、図１１に示すように、前記隙間を塞ぐ樹脂製シート４と、該樹脂製シート４の一方面側４ａに設けられ、前記基礎２の上面に貼付け可能な接着部材５と、粘着面６ａを有し、且つ、前記樹脂製シート４の他方面側４ｂを覆うように貼付けられた発泡シート６とを具備するものである。そして、防水スペーサ１は、図４に示すように長尺に形成したり、図９に示すように、基礎２の入隅部７の形状に合致するように形成したり、図１２に示すように、基礎２の出隅部８の形状に合致するように形成して使用することができる。
【００２１】
前記樹脂製シート４は、例えばポリプロピレン等の屈曲自在な汎用性の樹脂材料をシート状に形成したものを、適宜防水スペーサ１の形状に合わせて所定の大きさにカットする等して好適に使用することができる。また、樹脂製シート４の材料は前述したポリプロピレンを始め、その他にもポリスチレンやＰＥＴ等を使用することができる。尚、樹脂製シート４は、硬質の樹脂を使用することも可能である。
【００２２】
前記接着部材５は、樹脂製シート４の一方面側４ａに設けられ、前記基礎２上に貼付ける際に使用される。そして、接着部材５は本実施形態のようにアクリル系の防水両面テープを好適に使用することができるが、他の防水両面テープを使用してもよく、さらに、接着剤等を別途塗布するようにしてもよい。
【００２３】
前記発泡シート６は、例えば発泡ポリエチレン等の屈曲自在で、且つ、防水性、断熱性を有する材料をシート状に形成したものを、適宜防水スペーサ１の形状に合わせて所定の大きさにカットする等して好適に使用することができる。また、発泡シート６の材料は前述した発泡ポリエチレンを始め、その他にも発泡ポリウレタン等を使用することができる。尚、発泡シート６は、硬質の樹脂を使用することも可能である。そして、発泡シート６の一方面側６ｂには粘着面６ａが設けられており、樹脂製シート４の他方面側４ｂを覆うようにして貼付けられる。粘着面６ａは、樹脂製シート４の接着部材５と共に、防水スペーサ１を、例えば図４に示すように、基礎２から該基礎２の上面から略垂直に起立して構築される軸組３に沿うようにして貼付ける際にも使用される。
【００２４】
以上のような樹脂製シート４、接着部材５、発泡シート６から形成される防水スペーサ１の実施形態について以下に示す。
【００２５】
第１の実施形態に係る防水スペーサ１ａは、図１、図４に示すように、全体形状が長尺に帯状に形成されている。そのため、樹脂製シート４、接着部材５、発泡シート６は、全て長尺に形成され、これらが貼り合わされるようにして防水シート１ａが形成されている。そして、この防水スペーサ１ａは、図４に示すように、基礎２と該基礎２の上面から略垂直に起立して構築される軸組３との隙間を塞ぐように、基礎２の上面から軸組３に沿って起立して、当該防水スペーサ１ａが略Ｌ字型に折曲されるように取付けられる。そのため、防水スペーサ１ａを容易に折曲することができるように、図１、図４に示すように、樹脂製シート４には予めその長尺方向に亘って折目４ｃが設けられている。また、折目４ｃは予め折曲げられたり、切込みを入れる等して形成されている。また、樹脂製シート４は、発泡シート６と同様の大きさでもよいが、図１に示す本実施形態のように、樹脂製シート４は、発泡シート６の一方面側６ｂの中央の一部にだけ設けられていれば十分に防水性を確保することができ、また、材料コストを削減することもできる。
【００２６】
さらに、防水スペーサ１ａを、図２に示すように、折曲した際に、折曲部９において発泡シート６同士が緩衝して歪が生じないように、図１に示すように、折目４ｃが設けられている箇所には溝部６ｃが、該発泡シート６の長手方向に亘って形成されている。詳細には、図１に示すように、折目４ｃが形成された樹脂製シート４の当該折目４ｃを挟んで、一方の発泡シート６の端部が折目４ｃに沿うように貼付けられ、他方の発泡シート６が、一方の発泡シート６とその肉厚分だけ離間して該樹脂製シート４の他方面側４ｂに貼付けられるようにして溝部６ｃが形成されている。これにより、防水スペーサ１ａを折曲した際には、他方の発泡シート６が溝部６ｃに入り込むので歪が生じない。
【００２７】
また、樹脂製シート４の一方面側４ａには接着部材５としての両面テープが、該樹脂製シート４の一端部に長手方向に亘って設けられており、図４に示すように、該接着部材５と発泡シート６の粘着面６ａとを使用して、基礎２の上面から軸組３に沿って該防水スペーサ１ａが取付けられる。尚、接着部材５は、樹脂製シート４の一方面側４ａの全面に設けてもよいが、図１に示す本実施形態のように、該樹脂製シート４の一方面側４ａの一部にのみ設けておけば十分に防水性を確保でき、また、材料コストを削減することもできる。この際には、防水スペーサ１ａが取付けられる基礎２の上面や軸組３の側面等の被取付箇所の水気や埃等を除去した後、図３に示すように、作業者が樹脂製シート４をつかんで防水スペーサ１ａを折曲させ、その折曲部９を、基礎２の上面と軸組３とが建物内側に形成する角部１０に押し当てるようにして取付けられる。これにより、樹脂製シート４が、基礎２と角部１０に精度よく対応することができるので、防水スペーサ１ａと、基礎２や軸組３との間に隙間が生じることがなく高い防水性を確保することができる。そして、防水スペーサ１ａの上から基礎２や軸組３方向に押圧することで該防水スペーサ１ａが基礎２の上面や軸組３の側面に強固に取付けられる。
【００２８】
また、図４に示すように、防水スペーサ１ａ同士を基礎２上で継合わせる際には、防水性のアクリル系両面テープ等の中継ぎテープ１１が使用され、この際には、防水性を確実に確保するために防水スペーサ１ａ同士を３０ｍｍ以上重ねることが好ましい。詳細には、防水スペーサ１ａの端部に中継ぎテープ１１が該防水スペーサ１ａから若干はみだすように貼付けられる。そして、中継ぎテープ１１の粘着面を露出させ、この粘着面の上から他方の防水スペーサ１ａの端部を被せるように、当該他方の防水スペーサ１ａを一方の防水スペーサ１ａの上から貼付ける。このように防水スペーサ１ａ同士を継合わせることで、この継目で防水性が損なわれることがない。
【００２９】
また、図５に示すように、例えば住宅の土間のサッシ部分のように基礎２の上部に直接軸組３が設けられていないような場所では、防水スペーサ１ａの端部に中継ぎテープ１１を貼付けておくことが好ましい。この際にも、防水スペーサ１ａの端部に中継ぎテープ１１が該防水スペーサ１ａから若干はみだすように貼付けられる。これにより、防水スペーサ１ａの端部で防水性が損なわれることがない。
【００３０】
そして、図１５に示すように、基礎２の天端よりも低い位置に床部材１２が設けられる床ダウン部１３と比べて、基礎２の天端よりも高い位置に床部材１２が設けられる他の居室１４は、基礎２と軸組３との隙間からの雨水等の浸入の問題は生じにくい。そのため、図１５に示すような基礎上防水構造Ａでは、床ダウン部１３において防水スペーサ１が使用されるが、他の居室１４では防水スペーサ１以外の他のスペーサ（不図示）が使用されることが多い。そして、防水スペーサ１と他のスペーサを継足す際には、図６に示すように、他の居室１４側に２００ｍｍ程度張り出すように防水スペーサ１ａを取付けてから、適宜他のスペーサと３０ｍｍ以上重ねて継合わせることが好ましい。これにより、床ダウン部１３と他の居室１４との境界での防水性を確実に確保することができる。尚、床ダウン部１３以外のその他の居室１４においても基礎２と軸組３との隙間を塞ぐために防水スペーサ１を使用することができるのは勿論である。
【００３１】
そして、この防水スペーサ１ａを使用する際には、中継ぎテープ１１も同時に使用されることから、図７に示すように、防水スペーサ１ａを巻き、その上から中継ぎテープ１１を巻きつけることで、持運びや収納の際の取扱が容易となり、また、作業性も向上する。この際には、粘着面６ａに適宜離型シートを設けたり、発泡シート６の他方側面６ｄに、離型性の樹脂をコーティングを設ける等することができる。
【００３２】
第２の実施形態に係る防水スペーサ１ｂは、図８に示すように、基礎２の入隅部７の形状に合致するように、基礎２に貼付けられる基礎側面１５ａと、軸組３に貼付けられ、該基礎側面１５ａから略垂直に起立する２つの起立面１５ｂとから形成されている。そして、第１の実施形態に係る防水スペーサ１ａと同様に、樹脂製シート４の一方側面４ａに接着部材５が設けられ、他方側面４ｂに発泡シート６が設けられている。また、この防水スペーサ１ｂは、樹脂製シート４と発泡シート６とが略同形状に形成されて組立てられ、さらに、図８に示すように、基礎側面１５ａの内縁部と、その両端部から起立面１５ｂに沿って起立して接着部材５が設けられている。また、接着部材５の位置等の防水スペーサ１ｂの形成方法は本実施形態のものに限定されず、適宜変更することができる。
【００３３】
そして、この防水スペーサ１ｂを使用する際には、図９に示すように、防水スペーサ１ｂを、入隅部７に基礎２の上面から軸組３に沿って起立してこれらの隙間を塞ぐように取付け、その後防水スペーサ１ｂの両端部に第１の実施形態に係る防水スペーサ１ａを継合わせる。この際には、図１０に示すように、どちらか一方の防水スペーサ１ａが勝ちとなるように防水スペーサ１ｂの上から貼付け、他方の防水スペーサ１ａの端部を一方の防水スペーサ１ａに突き付けるように防水スペーサ１ｂの上から貼付ける。これにより、基礎２の入隅部７の防水性を容易に確保することができる。また、防水スペーサ１ａ、１ｂの取付け方は、上述の方法に限定されるものではなく適宜変更することができる。
【００３４】
第３の実施形態に係る防水スペーサ１ｃは、図１１に示すように、基礎２の出隅部８の形状に合致するように、基礎２に貼付けられる基礎側面１６ａと、軸組３に貼付けられ、該基礎側面１６ａから略垂直に起立する２つの起立面１６ｂとから形成されている。そして、第１の実施形態に係る防水スペーサ１ａと同様に、樹脂製シート４の一方側面４ａに接着部材５が設けられ、他方側面４ｂに発泡シート６が設けられている。また、この防水スペーサ１ｃは、樹脂製シート４と発泡シート６とが略同形状に形成されて組立てられ、さらに、図１１に示すように、基礎側面１６ａの外縁部、及び端部と、該基礎側面１６ａの両端部から起立面１６ｂに沿って起立して接着部材５が設けられている。また、接着部材５の位置等の防水スペーサ１ｃの形成方法は本実施形態のものに限定されず、適宜変更することができる。
【００３５】
そして、この防水スペーサ１ｃを使用する際には、図１２に示すように、防水スペーサ１ｃを、出隅部８に基礎２の上面から軸組３に沿って起立してこれらの隙間を塞ぐように取付け、その後防水スペーサ１ｃの両端部に第１の実施形態に係る防水スペーサ１ａを継合わせる。この際には、図１３に示すように、どちらか一方の防水スペーサ１ａが勝ちとなるように防水スペーサ１ｃの上から貼付け、他方の防水スペーサ１ａの端部の不要部１７を適宜カットし、その端部を一方の防水スペーサ１ａに突き付けるように防水スペーサ１ｃの上から貼付ける。これにより、基礎２の出隅部８の防水性を容易に確保することができる。また、防水スペーサ１ａ、１ｃの取付け方は、上述の方法に限定されるものではなく適宜変更することができる。
【００３６】
以上のよう形成される防水スペーサ１を、図１５に示すように、基礎２の天端よりも低い位置に床部材１２を設けた床ダウン部１３に使用して基礎上防水構造Ａとすることで、容易且つ安価に基礎２と軸組３との隙間を塞ぎ該床ダウン部１３の防水性を確保することができる。
【００３７】
さらに、図１５に示す基礎上防水構造Ａにおいて、基礎２と軸組３との隙間の防水性をより向上させるために、図１５に示す内壁材１８を固定するための下地材１９を、図１４に示すように、防水スペーサ１ａ、１ｂ、１ｃの上に、発泡シート６を押しつぶすようにビス２０等で載置固定することで、より安定した防水性能を確保することができる。
【産業上の利用可能性】
【００３８】
本発明に係る防水スペーサ１は、基礎２と軸組３との隙間の防水だけでなく、例えば梁等の他の建築要素間の隙間にも使用することができる。
【図面の簡単な説明】
【００３９】
【図１】第１の実施形態に係る係る防水スペーサの側面図
【図２】第１の実施形態に係る防水スペーサを折曲する状態を示す側面図
【図３】第１の実施形態に係る防水スペーサを貼付ける状態を示す断面図
【図４】第１の実施形態に係る防水スペーサの継合わせる状態を示す斜視図
【図５】第１の実施形態に係る防水スペーサの端部を示す斜視図
【図６】他の居室との境界での状態を示す図
【図７】第１の実施形態に係る防水スペーサを巻いた状態を示す斜視図
【図８】第２の実施形態に係る防水スペーサの斜視図
【図９】第２の実施形態に係る防水スペーサを貼り付ける状態を示す斜視図
【図１０】第２の実施形態に係る防水スペーサを貼り付けた状態を示す斜視図
【図１１】第３の実施形態に係る防水スペーサの斜視図
【図１２】第３の実施形態に係る防水スペーサを貼り付ける状態を示す斜視図
【図１３】第３の実施形態に係る防水スペーサを貼り付けた状態を示す斜視図
【図１４】下地材を取付けた状態を示す断面図
【図１５】基礎の断面図
【図１６】従来技術を示す断面
【符号の説明】
【００４０】
１（１ａ、１ｂ、１ｃ）        防水スペーサ
２        基礎
３        軸組
４        樹脂製シート
４ａ      一方面側
４ｂ      他方面側
４ｃ      折目
５        接着部材
６        発泡シート
６ａ      粘着面
６ｂ      一方面側
６ｃ      溝部
７        入隅部
８        出隅部
１３      床部材
１８      下地材
【図１】
0005046034.tif 000002
【図２】
0005046034.tif 000003
【図３】
0005046034.tif 000004
【図４】
0005046034.tif 000005
【図５】
0005046034.tif 000006
【図６】
0005046034.tif 000007
【図７】
0005046034.tif 000008
【図８】
0005046034.tif 000009
【図９】
0005046034.tif 000010
【図１０】
0005046034.tif 000011
【図１１】
0005046034.tif 000012
【図１２】
0005046034.tif 000013
【図１３】
0005046034.tif 000014
【図１４】
0005046034.tif 000015
【図１５】
0005046034.tif 000016
【図１６】
0005046034.tif 000017